(57)【要約】【課題】対応する最大記録幅に満たない記録メディアに記録する場合にも、ファンに投入するエネルギーを抑制し、ファン制御による騒音を抑制することができるインクジェット記録装置及びその制御方法を提供することを目的とする【解決手段】プラテン上の吸引口から、プラテンファンの吸気によって記録メディアを吸着する制御と、記録が行われるエリアに沿って配置されている吸引口から、ミストファンがミストを回収する制御とを、相互に関連付けて制御するインクジェット記録装置である。【選択図】図６
2010105249.tif 000002
【特許請求の範囲】
【請求項１】
プラテン上に開けられている吸引口から空気を吸引し、プラテン上の記録メディアを、プラテンに吸着させるために負圧を発生させるファンであるプラテンファンと、記録が行われるエリアに沿って配置されている吸引口から、機内で発生するインクミストを空気と共に吸引して回収するファンであるミストファンとを具備するインクジェット記録装置において、
記録メディアの種類と、記録メディアの横幅とに応じて、記録メディア吸着のために必要な上記プラテンファンの駆動力又は回転速度を決定する手段と；
上記決定したプラテンファンの駆動力又は、回転速度で駆動した場合に、記録メディアの吸引のためにプラテン上に開けられている吸引口のなかで、記録メディアで塞がれていない箇所から吸引する吸引量を決定する手段と；
記録動作に伴い発生するインクミスト量を予測し、インクミストを回収するために必要な吸引量を決定する手段と；
上記ミストを回収するために必要な吸引量から、プラテンファンで吸引する吸引量を差し引くことによって、インクミストを回収するために上記ミストファンで吸引すべき吸引量を求める手段と；
上記求められたミストファンの吸引量を得るために必要な、ミストファンの駆動力又は回転速度を決定する手段によって、プラテンファンとミストファンとの駆動力又は、回転速度を決定することを特徴とするインクジェット記録装置。
【請求項２】
プラテン上に開けられている吸引口から空気を吸引し、プラテン上の記録メディアを、プラテンに吸着させるために負圧を発生させるファンであるプラテンファンと、記録が行われるエリアに沿って配置されている吸引口から、機内で発生するインクミストを空気と共に吸引して回収するファンであるミストファンとを有するインクジェット記録装置において、
記録メディアの種類と、記録メディアの横幅とに応じて、記録メディア吸着のために必要なプラテンファンの駆動力又は、回転速度を決定した後に、記録メディア吸引のためにプラテン上に開けられている吸引口のなかで、記録メディアで塞がれていない部分からプラテンファンで吸引され、回収されるミスト量と、上記ミストファンで吸引され、回収されるミスト量とを合計した値が、所定の回収量になるように、ミストファンの駆動力又は、回転速度を決定し、制御することを特徴とするインクジェット記録装置。
【請求項３】
負圧を発生させてプラテン上に記録メディアを固定するためのファンであるプラテンファンと；
ミストを回収するためのファンであるミストファンと；
プラテン上の記録メディアの位置と、記録メディアのサイズとによって、プラテン上の記録メディアにより塞がれていない吸引口の数を判断する手段と；
記録メディアの種類と、プラテン上の吸引控の吸引口とによって、記録メディア吸着に必要なプラテンファンの回転速度を決定する手段と；
単位時間のミスト発生量を予測するミスト量予測手段と；
プラテン上の吸引控の吸引口から吸引される風量に基づいて、単位時間に吸引可能なミスト量を予測する手段と；
単位時間のミスト発生予測量に基づいて、上記プラテンファンによって吸引可能なミスト量を差し引き、ミストファンで回収する必要のあるミスト量を算定するミスト量算定手段と；
上記ミスト量算定手段が算定したミスト回収を行うために必要な上記ミストファンの回転速度を判定する手段と；
上記プラテンファンの回転を制御する制御手段と；
上記ミストファンの回転を制御する制御手段と；
を有し、記録メディアの吸着に必要なプラテンファンの回転速度を決定した後に、上記ミストファンの回転速度を決定し、制御することを特徴とするインクジェット記録装置。
【請求項４】
負圧を発生させてプラテン上に記録メディアを固定するためのファンであるプラテンファンと、
ミストを回収するためのファンであるミストファンと；
プラテン上の記録メディアの位置と、記録メディアのサイズとによって、プラテン上の吸引控の吸引口を判断する手段と；
記録メディアの種類と、プラテン上の吸引控の吸引口とによって、記録メディア吸着に必要なプラテンファンに投入する駆動力を決定する手段と；
単位時間のミスト発生量を予測するミスト量予測手段と；
プラテン上の吸引控の吸引口から吸引される風量に基づいて、単位時間に吸引可能なミスト量を予測する手段と；
単位時間のミスト発生予測量に基づいて、上記プラテンファンによって吸引可能なミスト量を差し引き、ミストファンで回収する必要のあるミスト量を算定するミスト量算定手段と；
上記ミスト量算定手段が算定したミスト回収を行うのに必要なミストファンに投入する駆動力を判定する手段と；
上記プラテンファンの駆動力を制御する手段と；
上記ミストファンの駆動力を制御する手段と；
を有し、記録メディアの吸着に必要なプラテンファンに投入する駆動力を決定した後に、上記ミストファンに投入する駆動力を決定し、制御することを特徴とするインクジェット記録装置。
【請求項５】
請求項１〜請求項４のいずれか1項において、
上記ミストファンで吸引した空気は、フィルタ手段で浄化された後に、機内、又は、機外に排出されることを特徴とするインクジェット記録装置。
【請求項６】
請求項１〜請求項４のいずれか１項において、
上記プラテンファンで吸引した空気は、フィルタ手段で浄化された後に、機内、又は、機外に排出されることを特徴とするインクジェット記録装置。
【請求項７】
請求項１〜請求項６のいずれか１項において、
上記ミストファン、上記プラテンファンが複数設けられている場合、それぞれの駆動条件に応じて、制御パラメータが予め設定されていることを特徴とするインクジェット記録装置。
【請求項８】
プラテン上に開けられている吸引口から空気を吸引し、プラテン上の記録メディアを、プラテンに吸着させるために負圧を発生させるファンであるプラテンファンと、記録が行われるエリアに沿って配置されている吸引口から、機内で発生するインクミストを空気と共に吸引して回収するファンであるミストファンとを具備するインクジェット記録装置の制御方法において、
記録メディアの種類と、記録メディアの横幅とに応じて、記録メディア吸着のために必要な上記プラテンファンの駆動力又は回転速度を決定する工程と；
上記決定したプラテンファンの駆動力又は、回転速度で駆動した場合に、記録メディアの吸引のためにプラテン上に開けられている吸引口のなかで、記録メディアで塞がれていない箇所から吸引する吸引量を決定する工程と；
記録動作に伴い発生するインクミスト量を予測し、インクミストを回収するために必要な吸引量を決定する工程と；
上記ミストを回収するために必要な吸引量から、プラテンファンで吸引する吸引量を差し引くことによって、インクミストを回収するために上記ミストファンで吸引すべき吸引量を求める工程と；
上記求められたミストファンの吸引量を得るために必要な、ミストファンの駆動力又は回転速度を決定する工程によって、プラテンファンとミストファンとの駆動力又は、回転速度を決定することを特徴とするインクジェット記録装置の制御方法。
【請求項９】
プラテン上に開けられている吸引口から空気を吸引し、プラテン上の記録メディアを、プラテンに吸着させるために負圧を発生させるファンであるプラテンファンと、記録が行われるエリアに沿って配置されている吸引口から、機内で発生するインクミストを空気と共に吸引して回収するファンであるミストファンとを有するインクジェット記録装置の制御方法において、
記録メディアの種類と、記録メディアの横幅とに応じて、記録メディア吸着のために必要なプラテンファンの駆動力又は、回転速度を決定した後に、記録メディア吸引のためにプラテン上に開けられている吸引口のなかで、記録メディアで塞がれていない部分からプラテンファンで吸引され、回収されるミスト量と、上記ミストファンで吸引され、回収されるミスト量とを合計した値が、所定の回収量になるように、ミストファンの駆動力又は、回転速度を決定し、制御することを特徴とするインクジェット記録装置の制御方法。
【請求項１０】
負圧を発生させてプラテン上に記録メディアを固定するためのファンであるプラテンファンと、ミストを回収するためのファンであるミストファンとを有するインクジェット記録装置の制御方法において、
プラテン上の記録メディアの位置と、記録メディアのサイズとによって、プラテン上の吸引控の吸引口を判断する工程と；
記録メディアの種類と、プラテン上の吸引控の吸引口とによって、記録メディア吸着に必要なプラテンファンの回転速度を決定する工程と；
単位時間のミスト発生量を予測するミスト量予測工程と；
プラテン上の吸引控の吸引口から吸引される風量に基づいて、単位時間に吸引可能なミスト量を予測する工程と；
単位時間のミスト発生予測量に基づいて、上記プラテンファンによって吸引可能なミスト量を差し引き、ミストファンで回収する必要のあるミスト量を算定するミスト量算定工程と；
上記ミスト量算定工程で算定されたミスト回収を行うために必要な上記ミストファンの回転速度を判定する工程と；
上記プラテンファンの回転を制御する制御工程と；
上記ミストファンの回転を制御する制御工程と；
を有し、記録メディアの吸着に必要なプラテンファンの回転速度を決定した後に、上記ミストファンの回転速度を決定し、制御することを特徴とするインクジェット記録装置の制御方法。
【請求項１１】
負圧を発生させてプラテン上に記録メディアを固定するためのファンであるプラテンファンと、ミストを回収するためのファンであるミストファンとを具備するインクジェット記録装置の制御方法において、
プラテン上の記録メディアの位置と、記録メディアのサイズとによって、プラテン上の吸引控の吸引口を判断する工程と；
記録メディアの種類と、プラテン上の吸引控の吸引口とによって、記録メディア吸着に必要なプラテンファンに投入する駆動力を決定する工程と；
単位時間のミスト発生量を予測するミスト量予測工程と；
プラテン上の吸引控の吸引口から吸引される風量に基づいて、単位時間に吸引可能なミスト量を予測する工程と；
単位時間のミスト発生予測量に基づいて、上記プラテンファンによって吸引可能なミスト量を差し引き、ミストファンで回収する必要のあるミスト量を算定するミスト量算定工程と；
上記ミスト量算定工程で算定されたミスト回収を行うのに必要なミストファンに投入する駆動力を判定する工程と；
上記プラテンファンの駆動力を制御する工程と；
上記ミストファンの駆動力を制御する工程と；
を有し、記録メディアの吸着に必要なプラテンファンに投入する駆動力を決定した後に、上記ミストファンに投入する駆動力を決定し、制御することを特徴とするインクジェット記録装置の制御方法。
【発明の詳細な説明】
【技術分野】
【０００１】
本発明は、記録メディア吸着用のプラテンファンと、インクミスト回収用のミストファンとを有するインクジェット記録装置におけるファン制御に関する。
【背景技術】
【０００２】
従来のインクジェット記録装置として、記録メディアをプラテン上に吸着させ、記録ヘッドと、記録メディアとの間の距離を一定に保つように制御する装置が存在する。記録メディアを吸着する手段として、ファン吸気による負圧を利用したもの、静電気を利用したものが知られている。ファンを利用したものでは、プラテン上に開けられている吸引口から吸引し、記録メディアがプラテンに吸着するように構成されている。以下、記録メディアがプラテンに吸着するように、プラテン上に開けられている吸引口から吸引するためのファンを、プラテンファンという。
【０００３】
また、インクジェット記録装置では、記録ヘッドが噴射するインクの一部がミスト化し、このミストが機内に浮遊するので、機内の空気をファンで吸引し、フィルタを介してインクミストを回収する（たとえば、特許文献１参照）。以下、機内に浮遊するミストを含む空気を吸引するためのファンを、ミストファンという。
【０００４】
上記プラテン上の記録メディア吸着と、上記プラテン上の吸引口からのミスト回収とを、１つのファンで実行する記録装置が提案されている（たとえば、特許文献２参照）。
【特許文献１】特開２００６−１７５６８４号公報
【特許文献２】特開２００４−３３０６４４号公報
【発明の開示】
【発明が解決しようとする課題】
【０００５】
しかし、プラテン上の吸引口から、ファンの吸気によって、記録メディアを吸着する従来の記録装置では、記録装置が対応している最大横幅の記録メディアに記録する場合、プラテン上の記録メディア吸引のための吸引口は、記録メディアによって全て塞がれる。一方、記録メディアの横幅が小さい場合には、プラテン上に、記録メディアで塞がれない吸引口が存在し、そこから、機内の空気を吸引する。したがって、記録メディアの横幅が小さい場合、記録メディア吸着のための負圧を確保するので、吸引口が全て塞がれている場合よりも、大きな力でプラテンファンを回転させる必要がある。この大きな力でのプラテンファン回転が、記録装置から発生する騒音を上昇させる原因１つであるという問題がある。
【０００６】
この問題を回避するために、記録メディアサイズに応じて、プラテン上の吸引口の中から、吸引する箇所を制限する装置がある。しかし、様々なサイズの記録メディアに対応するためには、複雑な機構が必要であり、記録メディアサイズに合わせて、ユーザの設定が必要であるので、吸引する箇所を制限しないまま使用するか、又は、数通りに限定して対応するケースが多い。
【０００７】
また、プラテン上の記録メディア吸着と、プラテン上の吸引口からのミスト回収とを、１つのファンで実行する記録装置では、対応する最大記録幅の記録メディアに記録する場合、ミストの回収が制限されるとい問題がある。
【０００８】
本発明は、対応する最大記録幅に満たない記録メディアに記録する場合にも、ファンに投入するエネルギーを抑制し、ファン制御による騒音を抑制することができるインクジェット記録装置を提供することを目的とする
【課題を解決するための手段】
【０００９】
本発明は、プラテン上の吸引口から、プラテンファンの吸気によって記録メディアを吸着する制御と、記録が行われるエリアに沿って配置されている吸引口から、ミストファンがミストを回収する制御とを、相互に関連付けて制御するインクジェット記録装置である。
【発明の効果】
【００１０】
本発明は、プラテン上の吸引口から、プラテンファンの吸気によって記録メディアを吸着する制御と、記録が行われるエリアに沿って配置されている吸引口から、ミストファンがミストを回収する制御とを、相互に関連付けて制御する。本発明によれば、対応する最大記録幅に満たない記録メディアに記録する場合にも、ファンに投入するエネルギーを抑制し、ファン制御による騒音を抑制することができるという効果を奏する。
【発明を実施するための最良の形態】
【００１１】
発明を実施するための最良の形態は、次の実施例である。
【実施例１】
【００１２】
図１は、本発明の実施例１であるインクジェット記録装置ＰＲ１を示す斜視図である。
【００１３】
図２は、インクジェット記録装置ＰＲ１の一部分を示す斜視図である。
【００１４】
図３は、インクジェット記録装置ＰＲ１を示すブロック図である。
【００１５】
インクジェット記録装置ＰＲ１は、記録ヘッド１と、キャリッジ２と、ＣＲモータ３と、ＬＦモータ６と、Ｉ／Ｆ回路１１と、ＣＰＵ１２と、ＲＯＭ１３と、ＲＡＭ１４と、ＥＥＰＲＯＭ１５と、入出力制御回路１６と、操作キー１７とを有する。
【００１６】
また、インクジェット記録装置ＰＲ１は、出力制御回路１８と、ＬＥＤ１９と、ＣＲモータ駆動回路２３と、ＬＦモータ駆動回路２４と、記録ヘッド駆動回路２５と、ミストファン駆動回路３０と、ミストファン３１とを有する。
【００１７】
さらに、インクジェット記録装置ＰＲ１は、プラテンファン駆動回路３２と、プラテンファン３３と、ミストファンダクト３４と、プラテンファンダクト３５と、プラテン３６と、吸引口３７と、フィルタ３８と、フィルタ３９とを有する。
【００１８】
しかも、インクジェット記録装置ＰＲ１は、キャリッジ軸４１と、キャリッジベルト４２と、ＬＦローラ４３とを有する。
【００１９】
キャリッジ２は、キャリッジ軸４１に沿って、矢印Ｃ方向に往復動し、キャリッジベルト４２を介して、ＣＲモータ３によって駆動される。キャリッジ２には、記録ヘッド１が搭載され、キャリッジ２の往復動作に合わせて駆動され、記録メディアＰにインクが塗布され、記録される。
【００２０】
記録メディアＰは、記録用紙であり、ＬＦローラ４３によって紙送りされ、プラテン３６上で記録される。ＬＦローラ４３は、ＬＦモータ６によって駆動される。
【００２１】
吸引口３７は、プラテン３６上に設けられている開口（穴）であり、記録が行われる際、記録メディアＰがプラテン３６から浮かないように、プラテンファン３３が吸引するための穴である。
【００２２】
また、ミストファン３１と、ミストファンダクト３４とが設けられ、機内に浮遊するインクミストを回収するために、回収されたミストを含んだ空気を、フィルタ３８が浄化し、機内又は機外に排出する。
【００２３】
記録メディアＰが、幅の狭いものである場合、記録メディアＰをプラテン３６上で吸着するための吸引口３７の内で、記録メディアＰで塞がれない箇所５０が存在し、ここから、機内の空気も吸引される（図２参照）。
【００２４】
ミストファンダクト３４は、記録が行われるエリアに沿って配置され、ミストファン３１による吸引力によって、記録に付随して排出されるインクミストを回収する。
【００２５】
図３において、ホストコンピュータ（不図示）から送信された記録データは、Ｉ／Ｆ回路１１を介して、ＲＡＭ１４に格納され、ＣＰＵ１２が画像処理した後に、再び、ＲＡＭ１４に格納される。記録ヘッド１の移動に合わせて、ＲＡＭ１４から記録データが読み出され、記録ヘッド駆動回路２５が記録ヘッド１を駆動することによって記録される。
【００２６】
ＲＯＭ１３には、制御プログラムや各種制御パラメータが格納されている。ＥＥＰＲＯＭ１５には、ユーザが設定した情報等、電源がオフされても保存すべき情報が格納されている。操作部として、操作キー１７と、ＬＥＤ１９とが設けられているが、これらの代わりに、ＬＣＤ等の表示装置を設けるようにしてもよい。
【００２７】
ＣＰＵ１２が、プラテンファン駆動回路３２を制御することによって、プラテンファン３３を駆動する。これと同様に、ＣＰＵ１２がミストファン駆動回路３０を制御することによって、ミストファン３１を駆動する。なお、ミストファン３１、プラテンファン３３の回転速度をフィードバックすることによって、ミストファン３１、プラテンファン３３の回転速度を制御することができる。
【００２８】
操作キー１７を介して、記録メディアＰの種類や横幅を、ユーザが設定し、また、ユーザが設定した記録メディアＰの種類や横幅の情報を、ホストコンピュータが出力する。
【００２９】
つまり、インクジェット記録装置ＰＲ１は、プラテン上に開けられている吸引口から空気を吸引し、プラテン上の記録メディアを、プラテンに吸着させるために負圧を発生させるファンであるプラテンファンを有する。また、インクジェット記録装置ＰＲ１は、記録が行われるエリアに沿って配置されている吸引口から、機内で発生するインクミストを空気と共に吸引して回収するファンであるミストファンを具備する。
【００３０】
ＣＰＵ１２は、記録メディアの種類と、記録メディアの横幅とに応じて、記録メディア吸着のために必要な上記プラテンファンの駆動力又は回転速度を決定する手段の例である。また、ＣＰＵ１２は、上記決定したプラテンファンの駆動力又は、回転速度で駆動した場合に、記録メディアの吸引のためにプラテン上に開けられている吸引口のなかで、記録メディアで塞がれていない箇所から吸引する吸引量を決定する手段の例である。さらに、ＣＰＵ１２は、記録動作に伴い発生するインクミスト量を予測し、インクミストを回収するために必要な吸引量を決定する手段の例である。しかも、ＣＰＵ１２は、上記ミストを回収するために必要な吸引量から、プラテンファンで吸引する吸引量を差し引くことによって、インクミストを回収するために上記ミストファンで吸引すべき吸引量を求める手段の例である。そして、上記求められたミストファンの吸引量を得るために必要な、ミストファンの駆動力又は回転速度を決定する手段によって、プラテンファンとミストファンとの駆動力又は、回転速度を決定する。
【００３１】
また、インクジェット記録装置ＰＲ１は、記録メディアの種類と、記録メディアの横幅とに応じて、記録メディア吸着のために必要なプラテンファンの駆動力又は、回転速度を決定する。そして、インクジェット記録装置ＰＲ１は、その後に、記録メディア吸引のためにプラテン上に開けられている吸引口のなかで、記録メディアで塞がれていない部分からプラテンファンで吸引される。しかも、インクジェット記録装置ＰＲ１は、回収されるミスト量と、上記ミストファンで吸引され、回収されるミスト量とを合計した値が、所定の回収量になるように、ミストファンの駆動力又は、回転速度を決定し、制御する。
【００３２】
次に、インクジェット記録装置ＰＲ１におけるミストファン３１、プラテンファン３３の制御動作について説明する。
【００３３】
図４は、インクジェット記録装置ＰＲ１におけるミストファン３１、プラテンファン３３の制御動作を示すフローチャートである。
【００３４】
Ｓ１で、インクジェット記録装置ＰＲ１が記録データを受信すると、Ｓ２で、記録データ、記録メディアＰ、記録モード、機内温度等の条件に応じて、ミストファン３１、プラテンファン３３に投入する駆動力、又は、回転速度を決定する。Ｓ３で、プラテンファン３３を駆動し、ＬＦモータ６を駆動し、給紙する。Ｓ４で、ミストファン３１を駆動し、Ｓ５で、ＣＲモータ３と記録ヘッド１とを駆動し、かつ、改行を繰り返しながら記録する。そして、１ページの記録が終了したら、Ｓ６で、排紙し、Ｓ７で、記録が終了したと判断したら、Ｓ８で、プラテンファン３３を停止し、Ｓ９で、ミストファン３１を停止し、記録動作を終了する。Ｓ７で、次のページの記録があれば、Ｓ２に戻り、ファンの駆動条件を決定し、再び記録動作を行う。
【００３５】
図５は、図４に示すフローチャートの変形例を示す図である。
【００３６】
図４に示すフローチャートでは、ページごとにファンの駆動条件を決定するが、図５に示すように、改行ごとに、ファンの駆動条件を決定するようにしてもよい。つまり、Ｓ５の代わりに、Ｓ５１で、１行の記録が終了したら、Ｓ５２で、改行するか、排紙するかを判断し、改行する場合、Ｓ５３で、改行し、Ｓ２に戻り、ファンの駆動条件を再び決定する。また、排紙する場合、図４に示す場合と同様に、Ｓ６へ進む。
【００３７】
次に、インクジェット記録装置ＰＲ１において、ミストファン３１、プラテンファン３３の制御パラメータを決定する動作について説明する。
【００３８】
図６は、インクジェット記録装置ＰＲ１において、ミストファン３１、プラテンファン３３の制御パラメータを決定する動作を示すフローチャートである。
【００３９】
Ｓ１１で、予め設定されている記録メディアＰの種類、記録メディアＰのサイズに基づいて、記録メディアＰをプラテン３６に吸着するために必要な、プラテンファン３３の駆動力又は回転速度“Ｘ２”を決定する。駆動力や、回転速度を決定する場合、ＲＯＭ１３に予め設定、格納されている制御パラメータの中から、対応する制御パラメータが選択される。
【００４０】
次に、Ｓ１２で、これから記録するに当たり、機内で発生するミスト量を予測する。記録ヘッドを駆動することによる単位時間当たりのインク吐出回数、機内温度（不図示のサーミスタ等で検出する）等の要因に基づいて、発生が予測されるインクミストを回収するために必要なミストファン３１の吸引量又は、風量“Ｙ１”を決定する。吸引量又は、風量を決定する場合、ＲＯＭ１３に予め設定、格納されている制御パラメータの中から、対応する制御パラメータを選択する。
【００４１】
次に、Ｓ１３で、記録メディアＰの横幅（Ｌ）と、プラテンファン３３の駆動力又は、回転速度“Ｘ２”とに応じて、プラテンファン３３で吸引する吸引量“Ｙ２”を決定する。吸引量“Ｙ２”は、プラテン３６上の記録メディアＰを吸着するのための吸引口３７のうちで、記録メディアＰで塞がれていない箇所からの吸引量を示し、記録メディアＰの横幅（Ｌ）よって変化する。
【００４２】
吸引量“Ｙ２”を決定する場合、ＲＯＭ１３に予め設定、格納されている制御パラメータの中から、Ｓ１１で求めたプラテンファンの駆動力又は回転速度“Ｙ２”と、記録メディアＰの横幅（Ｌ）とに対応する制御パラメータが選択される。
【００４３】
なお、Ｙ２＝Ｆ１（Ｌ、Ｘ２）は、吸引量“Ｙ２”が、記録メディアＰの横幅（Ｌ）と、プラテンファン３３の駆動力又は回転速度“Ｘ２”を要因として決定されることを示す。
【００４４】
次に、Ｓ１４では、Ｓ１２で決定したミスト回収に必要な吸引量“Ｙ１”から、Ｓ１３で決定したプラテンファン３３で吸引する吸引量“Ｙ２”差し引き、ミストファン３１が必要とする吸引量“Ｙ３”を求める。
【００４５】
この場合、ミスト回収に必要な吸引量“Ｙ１”は、ミストファン３１の吸引量を基準にしている。したがって、ミストファン３１の吸引量によるミスト回収量と、プラテンファン３３の吸引量によるミスト回収量との差を、吸引効率係数ｋとし、吸引量“Ｙ２”に係数ｋを掛けて、減算する。つまり、吸引効率係数ｋは、ミストファン３１の吸引量によるミスト回収量を１とした場合、プラテンファン３３の吸引量によるミスト回収量の割合を示す値である。
【００４６】
そして、Ｓ１５では、Ｓ１４で求めたミストファン３１の吸引量“Ｙ３”を得るためにミストファン３１の必要な駆動力又は回転速度“Ｘ３”を決定する。駆動力や、回転速度を決定する場合、ＲＯＭ１３に予め設定、格納されている制御パラメータの中から、必要な吸引量に対応する制御パラメータが選択される。
【００４７】
なお、Ｘ３＝Ｆ２（Ｙ３）は、ミストファン３１の必要な駆動力又は回転速度“Ｘ３”が、Ｓ１４で求めたミストファン３１の吸引量“Ｙ３”から求めることができることを示す。
【００４８】
このようにして求めたミストファン３１、プラテンファン３３の駆動力又は回転速度に従って記録する場合や、記録の前後や、又は、記録ヘッドをクリーニングするために駆動する場合に、それぞれのファンが駆動される。
【００４９】
なお、ミストファン３１、プラテンファン３３が複数で構成される場合、それぞれの条件に応じて、制御パラメータを予め決定するようにしてもよく、プラテンファン群の合計量と、ミストファン群の合計量とが、上記関係になるように制御するようにしてもよい。
【００５０】
つまり、上記実施例は、次の動作を実行する。第１に、記録メディアＰの種類と記録メディアＰの横幅とに応じて、プラテンファンの回転速度（又は、回転力、又は、ファンへの投入エネルギー）を決定する。
【００５１】
第２に、記録メディアＰの横幅に応じて、プラテン３６上の吸引口３７から吸引される空気量を予測する。第３に、付随して回収されるミスト量を予測する。
【００５２】
第４に、上記回収分を、ミストファンで回収すべきミスト量から、減算することによって、ミストファンの回転速度（又は、回転力、又は、ファンへの投入エネルギー）を軽減する。これによって、プラテンファンに投入するエネルギーの増加分に相当する分、ミストファンに投入するエネルギーを減らすことができる。これによって、トータルのエネルギー上昇を抑制し、また、プラテンファンによる騒音上昇を、ミストファンの騒音軽減によって抑え、結局、トータルの騒音も抑制することができる。
【００５３】
ミストファンの回転速度（又は、回転力、又は、ファンへの投入エネルギー）は、単位時間辺りの記録ドット数、記録ドットデューティ、記録モード、記録速度、温度、湿度等の要因に基づいて、ミスト発生量を予測し、十分回収できる値が基本的な値である。
【００５４】
すなわち、プラテンファン３３は、負圧を発生させてプラテン上に記録メディアを固定するためのファンの例である。ＣＰＵ１２は、ミストファンと、プラテン上の記録メディアの位置と、記録メディアのサイズ（紙幅）とによって、プラテン上の吸引控の吸引口を判断する手段の例である。また、ＣＰＵ１２は、記録メディアの種類と、プラテン上の吸引控の吸引口とによって、記録メディア吸着に必要なプラテンファンの回転速度を決定する手段の例である。さらに、ＣＰＵ１２は、単位時間のミスト発生量を予測するミスト量予測手段の例である。しかも、ＣＰＵ１２は、プラテン上の吸引控の吸引口から吸引される風量に基づいて、単位時間に吸引可能なミスト量を予測する手段の例である。そして、ＣＰＵ１２は、単位時間のミスト発生予測量に基づいて、上記プラテンファンによって吸引可能なミスト量を差し引き、ミストファンで回収する必要のあるミスト量を算定するミスト量算定手段の例である。加えて、ＣＰＵ１２は、上記ミスト量算定手段が算定したミスト回収を行うために必要な上記ミストファンの回転速度を判定する手段の例である。
【００５５】
プラテンファン駆動回路３２は、プラテンファンの回転を制御する制御手段の例であり、ミストファン駆動回路３０は、ミストファンの回転を制御する制御手段の例である。そして、インクジェット記録装置ＰＲ１は、記録メディアの吸着に必要なプラテンファンの回転速度を決定した後に、上記ミストファンの回転速度を決定し、制御する。
【００５６】
また、ＣＰＵ１２は、プラテン上の記録メディアの位置と、記録メディアのサイズ（紙幅）とによって、プラテン上の吸引控の吸引口を判断する手段の例である。さらに、ＣＰＵ１２は、記録メディアの種類と、プラテン上の吸引控の吸引口とによって、記録メディア吸着に必要なプラテンファンに投入する駆動力を決定する手段の例である。しかも、ＣＰＵ１２は、上記ミスト量算定手段が算定したミスト回収を行うのに必要なミストファンに投入する駆動力を判定する手段の例である。そして、プラテンファン駆動回路３２は、プラテンファンの駆動力を制御する手段の例である。加えて、ミストファン駆動回路３０は、ミストファンの駆動力を制御する手段の例である。また、ＣＰＵ１２は、記録メディアの吸着に必要なプラテンファンに投入する駆動力を決定した後に、上記ミストファンに投入する駆動力を決定し、制御する例である。
【００５７】
この場合、プラテンファンで吸引した空気は、フィルタ手段で浄化された後に、機内、又は、機外に排出される。また、ミストファン、上記プラテンファンが複数設けられている場合、それぞれの合計した吸引量に基づいて、プラテンファン１つあたりの駆動力を判定する。
【００５８】
なお、上記実施例を方法の発明として把握することができる。すななち、上記実施例における手段を工程に変更すれば、上記実施例は、インクジェット記録装置の制御方法である。
【図面の簡単な説明】
【００５９】
【図１】本発明の実施例１であるインクジェット記録装置ＰＲ１の斜視図である。
【図２】インクジェット記録装置ＰＲ１の一部分を示す斜視図である。
【図３】インクジェット記録装置ＰＲ１を示すブロック図である。
【図４】インクジェット記録装置ＰＲ１におけるミストファン３１、プラテンファン３３の制御動作を示すフローチャートである。
【図５】図４に示すフローチャートの変形例を示す図である。
【図６】インクジェット記録装置ＰＲ１において、ミストファン３１、プラテンファン３３の制御パラメータを決定する動作を示すフローチャートである。
【符号の説明】
【００６０】
ＰＲ１…インクジェット記録装置、
１…記録ヘッド、
２…キャリッジ、
３…ＣＲモータ、
６…ＬＦモータ、
１２…ＣＰＵ、
１３…ＲＯＭ、
３１…ミストファン、
３３…プラテンファン、
３４…ミストファンダクト、
３５…プラテンファンダクト、
３６…プラテン、
３７…吸引口、
３８、３９…フィルタ、
４１…キャリッジ軸、
４２…キャリッジベルト、
４３…ＬＦローラ、
Ｐ…記録メディア、
ｋ…吸引効率係数。
【図１】
2010105249.tif 000003
【図２】
2010105249.tif 000004
【図３】
2010105249.tif 000005
【図４】
2010105249.tif 000006
【図５】
2010105249.tif 000007
【図６】
2010105249.tif 000008